(57)【特許請求の範囲】
【請求項１】
外部から複数の外部機器がそれぞれ接続可能な複数のコンタクトロケーションを含むメディアプレーヤデバイスによって実行されるウェイクアップ方法において、
前記メディアプレーヤデバイスがスタンバイモードの状態で、前記複数のコンタクトロケーションのうち少なくとも一つのコンタクトロケーションに各外部機器が接続されたか否かを確認するために、前記コンタクトロケーションに接続された外部機器から伝送されたウェイクアップ信号を用いて前記外部機器を確認し、前記確認した外部機器の要請したウェイクアップモードを判断するステップと、
前記外部機器および前記ウェイクアップモードが判断されると、前記判断されたウェイクアップモードによる動作が行われるように前記メディアプレーヤデバイスをウェイクアップするステップと、
前記コンタクトロケーションに接続された外部機器と前記ウェイクアップモードによる動作を行うステップと、
を含み、前記ウェイクアップ信号は、
ウェイクアップ命令の開始を報知する開始フィールド、前記ウェイクアップモードを報知するウェイクアップモードフィールド及び応答(Ａｃｋ)信号フィールドを含む、ウェイクアップ方法。
【請求項２】
前記ウェイクアップするステップは、
前記接続された外部機器からウェイクアップ信号を受信されると、前記メディアプレーヤデバイスをウェイクアップすることを特徴とする請求項１に記載のウェイクアップ方法。
【請求項３】
外部から複数の外部機器がそれぞれ接続可能な複数のコンタクトロケーションを含むメディアプレーヤデバイスにおいて、
スタンバイ電源または主電源を出力する電源部と、
当該メディアプレーヤデバイスがスタンバイモードの状態で、前記複数のコンタクトロケーションのうち少なくとも一つのコンタクトロケーションに各外部機器が接続されたか否かを検知するインターフェース部と、
前記コンタクトロケーションに接続された外部機器から伝送されたウェイクアップ信号を用いて前記外部機器および前記外部機器の要請したウェイクアップモードが判断されると、前記判断されたウェイクアップモードによる電源が出力されるように前記電源部を制御する制御部と、
を含み、
前記ウェイクアップ信号は、
ウェイクアップ命令の開始を報知する開始フィールド、前記ウェイクアップモードを報知するウェイクアップモードフィールド及び応答(Ａｃｋ)信号フィールドを含み、
前記制御部は、
前記ウェイクアップモードによる動作が行われるように前記インターフェース部をウェイクアップして、前記コンタクトロケーションに接続された外部機器と前記ウェイクアップモードによる動作を行うことを特徴とする、メディアプレーヤデバイス。
【請求項４】
前記複数のコンタクトロケーションは、
第１データを伝送するために指定された第１ペアコンタクトロケーショングループと、
第２データを伝送するために指定された第２ペアコンタクトロケーショングループと、
を含み、
前記インターフェース部は、
前記第１ペアコンタクトロケーショングループを通じて外部機器が接続されたか否かを確認することを特徴とする請求項３に記載のメディアプレーヤデバイス。
【請求項５】
前記第１ペアコンタクトロケーショングループは、
ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことを特徴とする請求項４に記載のメディアプレーヤデバイス。
【請求項６】
前記インターフェース部は、
前記複数のコンタクトロケーションのうち一つのＡＶデータ伝送用のコンタクトロケーションを用いて外部機器が接続されたか否かを確認することを特徴とする請求項３に記載のメディアプレーヤデバイス。
【請求項７】
前記制御部は、
ユーザ命令または前記外部機器からモード変更命令が受信されると、前記受信されたモード変更命令に対応するモード変更を行うように前記メディアプレーヤデバイスを制御することを特徴とする請求項３に記載のメディアプレーヤデバイス。
【請求項８】
前記ウェイクアップモードは、
メディアプレーヤデバイスの複数の動作モードのそれぞれに対応する複数のウェイクアップモードおよび充電モードを含むことを特徴とする請求項３に記載のメディアプレーヤデバイス。
【請求項９】
前記複数のウェイクアップモードは、
前記メディアプレーヤデバイスがＩＰ基盤の通信を行なわない第１ウェイクアップモード、前記メディアプレーヤデバイスがＩＰ基盤の通信を行なうことのできる第２ウェイクアップモード、前記メディアプレーヤデバイスがマルチポートをサポートする第３ウェイクアップモード、前記メディアプレーヤデバイスが全ての機能を行う第４ウェイクアップモードを含むことを特徴とする請求項８に記載のメディアプレーヤデバイス。
【請求項１０】
前記開始フィールドは、
ハイ（ｈｉｇｈ）レベルからロー（ｌｏｗ）レベルにダウンされた後、予め設定された時間だけ前記ローレベルを保つ信号、または、ロー（ｌｏｗ）レベルからハイ（ｈｉｇｈ）レベルにアップされた後、予め設定された時間だけ前記ハイレベルを保つ信号を伝達することを特徴とする請求項３に記載のメディアプレーヤデバイス。
【請求項１１】
前記ウェイクアップ信号は、
前記複数のコンタクトロケーションのうち一つのＡＶデータ伝送用のコンタクトロケーションを用いて伝達されることを特徴とする請求項７に記載のメディアプレーヤデバイス。
【請求項１２】
前記インターフェース部は、
前記外部機器からウェイクアップ信号を受信されると、ウェイクアップ信号を送信した外部機器を判断し、判断された外部機器に対応するウェイクアップ開始命令を生成して前記制御部に伝送し、
前記制御部は、
前記インターフェース部からウェイクアップ開始命令を受信されると、前記メディアプレーヤデバイスをウェイクアップすることを特徴とする請求項３に記載のメディアプレーヤデバイス。
【請求項１３】
前記ウェイクアップ開始命令は、
ウェイクアップ命令のスタートを報知する開始（Ｓｔａｒｔ）フィールド、ウェイクアップが必要なメディアプレーヤデバイスを報知するウェイクアップポート（Ｗａｋｅｕｐ  Ｐｏｒｔ）フィールド、ウェイクアップのモードを報知するウェイクアップモード（Ｗａｋｅｕｐ  Ｍｏｄｅ）フィールド、および確認信号（Ａｃｋ）フィールドを含むことを特徴とする請求項１２に記載のメディアプレーヤデバイス。
【発明の詳細な説明】
【技術分野】
【０００１】
本発明は、メディアプレーヤデバイスおよびウェイクアップ方法に関し、より詳細には、最小スタンバイ電力で待機を保ちつつ、外部から入ってくる信号によりウェイクアップを行なうことのできるメディアプレーヤデバイスおよびウェイクアップ方法に関する。
【背景技術】
【０００２】
最近の電子機器は多様な外部機器と接続することができるため、多様な外部機器と接続するための多様なインターフェースをサポートする。例えば、最近のテレビは、ＨＤＭＩインターフェース、ＵＳＢインターフェース、Ｍｉｃｒｏ  ＵＳＢインターフェースなどをサポートする。
【０００３】
一方、最近では、最小スタンバイ電力を保ちつつ、外部から入ってくるウェイクアップ信号によりウェイクアップを行なうことが重要になってきた。ところが、従来のインターフェース方式では、特定の端子を用いてこのようなウェイクアップ信号を伝送していた。しかしながら、ウェイクアップ信号を伝送するために別途の端子を特定する場合、端子利用の効率性において望ましくないという問題があった。
【先行技術文献】
【特許文献】
【０００４】
【特許文献１】日本特許登録第４１８２５８４号
【特許文献２】日本特開第２００８−０６１２４８号公報
【特許文献３】韓国特開第２００９−００７１３６３号公報
【特許文献４】韓国特開第２００９−００４５２７６号公報
【発明の概要】
【発明が解決しようとする課題】
【０００５】
そこで、本発明の目的とするところは、最小スタンバイ電力で待機を保ちつつ、外部から入ってくる信号によりウェイクアップを行なうことのできるメディアプレーヤデバイスおよびウェイクアップ方法を提供することにある。
【課題を解決するための手段】
【０００６】
前記目的を達成するための本発明の一実施形態に係るウェイクアップ方法は、前記メディアプレーヤデバイスがスタンバイモードの状態で、前記複数のコンタクトロケーションに外部機器が接続されたか否かを確認するステップと、前記外部機器が前記メディアプレーヤデバイスに接続されると、前記メディアプレーヤデバイスをウェイクアップするステップとを含む。
【０００７】
この場合、前記複数のコンタクトロケーションは、第１データを伝送するために指定された第１ペアコンタクトロケーショングループと、第２データを伝送するために指定された第２ペアコンタクトロケーショングループとを含み、前記外部機器が接続されたか否かを確認するステップは、前記第１ペアコンタクトロケーショングループを通じて外部機器が接続されたか否かを確認することが望ましい。
【０００８】
この場合、前記第１ペアコンタクトロケーショングループは、ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことが望ましい。
【０００９】
一方、前記外部機器が接続されたか否かを確認するステップは、前記複数のコンタクトロケーションのうち一つのＡＶデータ伝送用のコンタクトロケーションを用いて外部機器が接続されたか否かを確認することが望ましい。
【００１０】
一方、前記ウェイクアップするステップは、前記接続された外部機器からウェイクアップ信号を受信されると、前記メディアプレーヤデバイスをウェイクアップすることが望ましい。
【００１１】
この場合、前記ウェイクアップ信号は、ウェイクアップ命令のスタートを報知する開始（Ｓｔａｒｔ）フィールド、ウェイクアップのモードを報知するウェイクアップモード（Ｗａｋｅｕｐ  Ｍｏｄｅ）フィールド、および確認信号（Ａｃｋ）フィールドを含んでよい。
【００１２】
この場合、前記ウェイクアップモードは、メディアプレーヤデバイスの複数の動作モードのそれぞれに対応する複数のウェイクアップモードおよび充電モードを含むことが望ましい。
【００１３】
この場合、前記複数のウェイクアップモードは、前記メディアプレーヤデバイスがＩＰ基板の通信を行なわない第１ウェイクアップモード、前記メディアプレーヤデバイスがＩＰ基板の通信を行なうことのできる第２ウェイクアップモード、前記メディアプレーヤデバイスがマルチポートをサポートする第３ウェイクアップモード、前記メディアプレーヤデバイスが全ての機能を行なう第４ウェイクアップモードを含んでよい。
【００１４】
一方、前記開始（Ｓｔａｒｔ）フィールドは、ハイ（ｈｉｇｈ）レベルからロー（ｌｏｗ）レベルにダウンされた後、予め設定された時間だけ前記ローレベルを保つ信号、または、ロー（ｌｏｗ）レベルからハイ（ｈｉｇｈ）レベルにアップされた後、予め設定された時間だけ前記ハイレベルを保つ信号を伝達することが望ましい。
【００１５】
一方、前記ウェイクアップ信号は、前記複数のコンタクトロケーションのうち一つのＡＶデータ伝送用のコンタクトロケーションを用いて伝達されることが望ましい。
【００１６】
一方、前記メディアプレーヤデバイスは、前記複数のコンタクトロケーションを通じて複数の外部機器と接続可能であることが望ましい。
【００１７】
この場合、前記複数のコンタクトロケーションは、特定のデータを伝送するために指定された複数のペアコンタクトロケーショングループを含み、前記複数のペアコンタクトロケーショングループは前記複数の外部機器のそれぞれに接続されることが望ましい。
【００１８】
一方、前記複数のコンタクトロケーションは、Ｍｉｃｒｏ  ＵＳＢ（Ｕｎｉｖｅｒｓａｌ  Ｓｅｒｉａｌ  Ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうち、少なくとも一つのコネクタに対応するようにマッピングすることが望ましい。
【００１９】
一方、本実施形態に係るメディアプレーヤデバイスは、スタンバイ電源または主電源を出力する電源部と、前記複数のコンタクトロケーションに前記外部機器が接続されたか否かを検知するインターフェース部と、前記外部機器が前記メディアプレーヤデバイスに接続されると、前記メディアプレーヤデバイスがウェイクアップするように前記電源部を制御する制御部とを含む。
【００２０】
この場合、前記複数のコンタクトロケーションは、第１データを伝送するために指定された第１ペアコンタクトロケーショングループと、第２データを伝送するために指定された第２ペアコンタクトロケーショングループとを含み、前記インターフェース部は、前記第１ペアコンタクトロケーショングループを通じて外部機器が接続されたか否かを確認することが望ましい。
【００２１】
この場合、前記第１ペアコンタクトロケーショングループは、ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことが望ましい。
【００２２】
一方、前記インターフェース部は、前記複数のコンタクトロケーションのうち一つのＡＶデータ伝送用のコンタクトロケーションを用いて外部機器が接続されたか否かを確認することが望ましい。
【００２３】
一方、前記制御部は、前記接続された外部機器からウェイクアップ信号を受信されると、前記メディアプレーヤデバイスをウェイクアップすることが望ましい。
【００２４】
この場合、前記ウェイクアップ信号は、ウェイクアップ命令のスタートを報知する開始（Ｓｔａｒｔ）フィールド、ウェイクアップのモードを報知するウェイクアップモード（Ｗａｋｅｕｐ  Ｍｏｄｅ）フィールド、および確認信号（Ａｃｋ）フィールドを含んでよい。
【００２５】
この場合、前記ウェイクアップモードは、メディアプレーヤデバイスの複数の動作モードのそれぞれに対応する複数のウェイクアップモードおよび充電モードを含むことが望ましい。
【００２６】
この場合、前記複数のウェイクアップモードは、前記メディアプレーヤデバイスがＩＰ基板の通信を行なわない第１ウェイクアップモード、前記メディアプレーヤデバイスがＩＰ基板の通信を行なうことのできる第２ウェイクアップモード、前記メディアプレーヤデバイスがマルチポートをサポートする第３ウェイクアップモード、前記メディアプレーヤデバイスが全ての機能を行なう第４ウェイクアップモードを含んでよい。
【００２７】
一方、前記開始（Ｓｔａｒｔ）フィールドは、ハイ（ｈｉｇｈ）レベルからロー（ｌｏｗ）レベルにダウンされた後、予め設定された時間だけ前記ローレベルを保つ信号、または、ロー（ｌｏｗ）レベルからハイ（ｈｉｇｈ）レベルにアップされた後、予め設定された時間だけ前記ハイレベルを保つ信号を伝達することが望ましい。
【００２８】
一方、前記ウェイクアップ信号は、前記複数のコンタクトロケーションのうち一つのＡＶデータ伝送用のコンタクトロケーションを用いて伝達されることが望ましい。
【００２９】
一方、前記メディアプレーヤデバイスは、前記複数のコンタクトロケーションを通じて複数の外部機器と接続可能であることが望ましい。
【００３０】
この場合、前記複数のコンタクトロケーションは、特定のデータを伝送するために指定された複数のペアコンタクトロケーショングループを含み、前記複数のペアコンタクトロケーショングループは前記複数の外部機器のそれぞれに接続されることが望ましい。
【００３１】
一方、前記インターフェース部は、前記外部機器からウェイクアップ信号を受信されると、ウェイクアップ信号を送信した外部機器を判断し、判断された外部機器に対応するウェイクアップ開始命令を生成して前記制御部に伝送し、前記制御部は、前記インターフェース部からウェイクアップ開始命令を受信されると、前記メディアプレーヤデバイスをウェイクアップすることが望ましい。
【００３２】
この場合、前記ウェイクアップ開始命令は、ウェイクアップ命令のスタートを報知する開始（Ｓｔａｒｔ）フィールド、ウェイクアップが必要なメディアプレーヤデバイスを報知するウェイクアップポート（Ｗａｋｅｕｐ  Ｐｏｒｔ）フィールド、ウェイクアップのモードを報知するウェイクアップモード（Ｗａｋｅｕｐ  Ｍｏｄｅ）フィールド、および確認信号（Ａｃｋ）フィールドを含んでよい。
【００３３】
一方、前記複数のコンタクトロケーションは、Ｍｉｃｒｏ  ＵＳＢ（Ｕｎｉｖｅｒｓａｌ  Ｓｅｒｉａｌ  Ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうち、少なくとも一つのコネクタに対応するようにマッピングすることが望ましい。
【図面の簡単な説明】
【００３４】
【図１】本発明の一実施形態に係るメディアプレーヤデバイスの構成を示すブロック図である。
【図２】本実施形態に係るインターフェース装置の構成を示すブロック図である。
【図３】本発明の実施形態に係るインターフェース構造を説明するためのブロック図である。
【図４】Ｍｉｃｒｏ  ＵＳＢインターフェース構造を説明するための図である。
【図５】本発明の一実施形態に係る新たなインターフェース（ＮＩＦ）構造によりデータを送受信する方法を説明するための図である。
【図６】図１のレーン（ｌａｎｅ）構造を具体的に示す図である。
【図７】本実施形態に係る新たなインターフェース（ＮＩＦ）構造によりウェイクアップ方法の第１例を説明するための図である。
【図８】本発明の一実施形態に係る新たなインターフェース（ＮＩＦ）構造によりウェイクアップ方法の第２例を説明するための図である。
【図９】本発明の一実施形態に係る新たなインターフェース（ＮＩＦ）構造によりウェイクアップ方法の第３例を説明するための図である。
【図１０】本実施形態に係るウェイクアップ信号の構造を示す図である。
【図１１】本実施形態に係るウェイクアップ開始命令の構造を示す図である。
【図１２】ウェイクアップ開始命令に含まれたそれぞれのフィールドの役割を説明する図である。
【図１３】図１２に記載の動作モード信号（Ｗａｋｅｕｐ  ｍｏｄｅ）の種類を示す図である。
【図１４】図１３に記載のウェイクアップモードの動作を説明する図である。
【図１５】本実施形態に係るウェイクアップモードの状態遷移を説明する図である。
【図１６】本実施形態に係るメディアプレーヤデバイスに複数の外部機器が接続された場合のウェイクアップ方法を説明するための図である。
【図１７】本実施形態に係るメディアプレーヤデバイスに複数の外部機器が接続された場合のウェイクアップ方法を説明するための図である。
【図１８】本発明の一実施形態に係るウェイクアップ方法を説明するための図である。
【図１９】図１８のウェイクアップ動作を具体的に説明する図である。
【発明を実施するための形態】
【００３５】
図１は、本発明の一実施形態に係るメディアプレーヤデバイスの構成を示すブロック図である。
【００３６】
図１によると、メディアプレーヤデバイス１００は、電源部１１０と、マイコン（Ｍｉｃｒｏ  Ｃｏｍｐｕｔｅｒ）１２０と、ユーザインターフェース部１３０およびインターフェース部１４０を含む。
【００３７】
メディアプレーヤデバイス１００は、ケーブルコネクタ３００を用いて別の外部のメディアプレーヤデバイス１０−１、１０−２、…、１０−ｎ（以下、外部機器という）と接続される。メディアプレーヤデバイス１００は、デジタルテレビ（ＤＴＶ）、ＤＶＤプレーヤ、セットトップボックスのような放送受信装置だけでなく、各種コンテンツを保存するパーソナルコンピュータ、ノートパソコン、ＭＰ３、ＰＭＰ、携帯電話などを含む。
【００３８】
電源部１１０は、メディアプレーヤデバイス１００内の各構成に電源を供給する。電源部１１０はＳＭＰＳ（Ｓｗｉｔｃｈｅｄ−ｍｏｄｅ  ｐｏｗｅｒ  ｓｕｐｐｌｙ）で実現されたり、変圧器または整流回路を用いて実現できる。
【００３９】
そして、電源部１１０は、メディアプレーヤデバイス１００の動作状態に応じて異なる電源を出力することができる。例えば、メディアプレーヤデバイス１００が一般モードである場合、電源部１１０はメディアプレーヤデバイス１００内の全構成に電源を供給する一般モード電源である主電源を出力することができる。そして、メディアプレーヤデバイス１００がスタンバイモードである場合、電源部１１０はスタンバイのための一部構成のみに電源を供給するスタンバイモード電源を出力することができる。そして、メディアプレーヤデバイス１００が外部機器１０の充電のためだけの充電モードで動作する場合、電源部１１０はスタンバイのための一部構成と外部機器を充電するのに用いられる充電電源を供給する充電モード電源を出力することができる。
【００４０】
マイコン１２０は、メディアプレーヤデバイス１００内の各構成を制御することができる。具体的に、マイコン１２０はメディアプレーヤデバイス１００の動作モードによって動作モードに対応する動作が行なわれるように、メディアプレーヤデバイス１００内の各構成を制御することができる。メディアプレーヤデバイス１００は、図１４に示すようにオフモード、スタンバイモード、複数のウェイクアップモード、ノーマルモードなどで動作できる。
【００４１】
そして、マイコン１２０は外部機器１０がメディアプレーヤデバイス１００に接続されたか否かが検知できる。メディアプレーヤデバイス１００がスタンバイモードである場合、外部機器１０がメディアプレーヤデバイス１００に接続されると、マイコン１２０はメディアプレーヤデバイス１００がウェイクアップされるようにすることができる。一方、実現時には、外部機器１０からウェイクアップ信号が受信される場合に、メディアプレーヤデバイス１００がウェイクアップされるようにメディアプレーヤデバイス１００内の各構成を制御する形態でも実現できる。
【００４２】
そして、マイコン１２０は、外部機器１０に対するウェイクアップ進行のためのウェイクアップ開始命令を生成することができる。具体的に、マイコン１２０はユーザの制御命令または内部規則に従って、外部機器１０−１をウェイクアップするためのウェイクアップ開始命令を生成し、生成されたウェイクアップ開始命令をインターフェース部１４０に伝達することができる。例えば、メディアプレーヤデバイス１００がＤＶＤプレーヤであって、ユーザがＤＶＤ再生をリモコンで指示した場合、マイコン１２０はＤＴＶである外部機器１０−１がウェイクアップできるように、外部機器１０−１に対するウェイクアップ開始命令を生成してインターフェース部１４０に伝達することができる。このとき、生成されるウェイクアップ開始命令の具体的な構成については図１１を参考に後述する。
【００４３】
そして、マイコン１２０は、充電可能な外部機器１０−１がインターフェース部１４０に接続された場合、電源部１１０が外部機器１０−１に電源を供給するように電源部を制御することができる。具体的に、インターフェース部１４０を介して接続された外部機器１０−１が充電可能な装置として認識された場合、インターフェース部１４０を介して充電モード電源または一般モード電源が外部機器１０−１に供給されるように、電源部１１０を制御することができる。このとき、外部機器１０−１に対する充電が完了したり接続が解除されると、マイコン１２０は外部機器１０−１に供給される電源が遮断されるようにすることができる。
【００４４】
ユーザインターフェース部１３０は、メディアプレーヤデバイス１００でサポートする各種機能をユーザが設定または選択できる多数の機能キーを備え、タッチパッドなどのように入力と出力が同時に実現される装置として実現されたり、キーボード、マウス、無線リモコンのような入力装置と、ＬＣＤやＣＲＴやスピーカのような出力装置を結合して実現することもできる。
【００４５】
そして、ユーザインターフェース部１３０は、メディアプレーヤデバイス１００内のコンテンツを出力したり、インターフェース部１４０を介して伝達された外部機器１０のコンテンツを出力することができる。
【００４６】
そして、ユーザインターフェース部１３０は外部機器が接続されると、外部機器１０−１が接続されたことを表示することができる。そして、ユーザインターフェース部１３０は接続された外部機器１０−１が充電中である場合、当該外部機器１０−１に対する充電状態を表示することができる。
【００４７】
インターフェース部１４０は、メディアプレーヤデバイス１００を外部機器１０と接続するために形成される。具体的に、インターフェース部１４０は複数のケーブルコネクタ３００−１、３００−２、…、３００−ｎを介して複数の外部機器１０−１、１０−２、…、１０−ｎに接続されてよく、接続された外部機器１０−１、１０−２、…、１０−ｎとＡＶ信号を伝達することができる。そして、インターフェース部１４０は、外部機器１０−１、１０−２、…１０−ｎをウェイクアップするためのウェイクアップ信号を伝達したり、外部機器１０−１、１０−２、…１０−ｎの充電のための充電電源を供給することができる。
【００４８】
図１を説明するうえで、インターフェース部１４０は一つのケーブルコネクタ３００−１を用いて一つの外部機器１０−１と接続される実施形態について説明したが、ケーブルコネクタが１：ｎケーブルコネクタである場合、インターフェース部１４０は一つのケーブルコネクタを用いて複数の外部機器と接続することも可能である。
【００４９】
そして、図１を説明するうえで、マイコン１２０が直接外部機器１０の接続を検知し、外部機器１０からウェイクアップ信号を受信するものとして説明したが、このような接続検知動作およびウェイクアップ信号受信動作は、インターフェース部１４０で行なわれてよい。これについては、図９に関連して後述する。
【００５０】
以下では、図２を参考にインターフェース部１４０の具体的な構成を説明する。
【００５１】
図２は、本実施形態に係るインターフェース部１４０の具体的な構成を説明する図である。
【００５２】
インターフェース部１４０は、通信インターフェース部１４１と、制御部１４２と、複数の収容部１４３および複数のスイッチング部１４４を含む。
【００５３】
通信インターフェース部１４１は、メディアプレーヤデバイス１００内の各構成と接続されるために形成され、メディアプレーヤデバイス１００内の各構成とＡ／Ｖ信号、制御信号を送受信し、電源部１１０から電源を入力される。
【００５４】
制御部１４２は、インターフェース部１４０内の各構成を制御する。具体的に、制御部１４２は複数の収容部１４３−１、１４３−２、…、１４３−ｎそれぞれに外部機器１０−１、１０−２、…、１０−ｎが接続されたか否かを検知できる。外部機器が接続されたと検知されると、制御部１４２はマイコン１２０に外部機器１０が接続されたことを報知できる。
【００５５】
そして、制御部１４２は接続された外部機器１０からウェイクアップ信号を受信すると、受信されたウェイクアップ信号をマイコン１２０に伝達することができる。そして、制御部１４２は受信されたウェイクアップ信号とウェイクアップ信号を送信した外部機器１０に対応するポート情報を結合してウェイクアップ開始命令を生成し、ウェイクアップ開始命令をマイコン１２０に伝送することができる。
【００５６】
そして、制御部１４２は接続された外部機器１０が充電可能な機器であるか否かを判断することができる。そして、外部機器１０が充電可能な機器である場合、制御部１４２はこれに対する情報をマイコン１２０に伝達して外部機器１０が充電されるようにすることができる。このとき、メディアプレーヤデバイス１００がスタンバイモードである場合、制御部１４２はウェイクアップ信号をマイコン１２０に伝送することができる。
【００５７】
そして、制御部１４２は、外部機器１０に対する充電が完了したり外部機器１０との接続が解除された場合、これに対する情報をマイコン１２０に伝達して外部機器１０に対する充電が完了するようにすることができる。
【００５８】
そして、制御部１４２は、マイコン１２０または外部機器１０−１から特定の外部機器１０−２に対するウェイクアップ開始命令を入力されると、入力されたウェイクアップ開始命令に基づいてウェイクアップが必要な外部機器１０−２を判断し、当該外部機器１０−２と接続される収容部１４３−２を介してウェイクアップ信号を伝達することができる。
【００５９】
そして、制御部１４２は、接続された外部機器１０のインターフェース種類を判断し、判断されたインターフェース種類によるインターフェースが適用されるようにスイッチング部１４４を制御する。具体的に、インターフェース部１４０は外部機器１０と新たなインターフェース方式または従来のインターフェース方式（例えば、ＵＳＢ（Ｕｎｉｖｅｒｓａｌ  Ｓｅｒｉａｌ  Ｂｕｓ）、Ｍｉｃｒｏ  ＵＳＢ、ＭＨＬ（Ｍｏｂｉｌｅ  Ｈｉｇｈ−Ｄｅｆｉｎｉｔｉｏｎ  Ｌｉｎｋ）、ＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）など）を通じて各種データおよび制御信号を送受信できる。
【００６０】
ここで、新たなインターフェース（ＮＩＦ）方式とは、図３に示すようなコンタクトロケーションをもつインターフェース方式を意味するものとして、以下では、新たなインターフェースをＮＩＦ（Ｎｅｗ  Ｉｎｔｅｒｆａｃｅ）と称する。従って、制御部１４２は接続された外部機器１０が従来のインターフェース方式を用いるか、新たなインターフェース（ＮＩＦ）方式を用いるかを判断し、判断されたインターフェース方式が用いられるように、当該外部機器１０に対応するスイッチング部１４４を制御することができる。
【００６１】
収容部１４３は、ケーブルコネクタ３００を介して外部機器１０と接続される。具体的に、収容部１４３は順次に番号が指定される複数のコンタクトロケーションを含んでよい。ここで、コンタクトロケーションは、ケーブルコネクタ３００と電気的に接続されるピンまたは端子で、複数のインターフェース方式で接続されることができる。そして、複数のコンタクトロケーションは、図３に示すようなインターフェース方式と同様のピン配列であってよく、図４に示すようなＭｉｃｒｏ  ＵＳＢ（Ｕｎｉｖｅｒｓａｌ  Ｓｅｒｉａｌ  Ｂｕｓ）コネクタと互換してよい。
【００６２】
スイッチング部１４４は、制御部１４２の制御により、外部機器１０に適用されるインターフェースタイプに対応するインターフェース方式が選択されるようにスイッチングする。図２を説明するうえで、それぞれの収容部の個数に対応するようにスイッチング部が複数個備えられるものとして説明したが、いくつかの収容部は特定のインターフェース専用に実現されてよく、この場合、スイッチング部は複数のインターフェースをサポートする収容部にのみ備えられる形態でも実現できる。
【００６３】
図３は、本発明の実施形態に係る新たなインターフェース（ＮＩＦ）構造を説明するための図である。
【００６４】
具体的に、本実施形態に係るインターフェースは、複数のデータを伝送できるように複数のペアコンタクトロケーショングループおよびグラウンド処理のためのグラウンドコンタクトロケーションを含む。ここで、コンタクトロケーショングループは一対のメディアプレーヤデバイス間でＡＶ信号、制御信号などをディファレンシャルシグナリング方式で送受信するピンまたは端子のセットである。ここで、ディファレンシャルシグナリングは、一つの信号と前記信号の位相とは反対の位相をもつ信号を対にして伝送する技術である。
【００６５】
図３によると、コンタクトロケーション（または端子）１、２は第１データ伝送のために指定された第１ペアコンタクトロケーショングループである。具体的に、第１ペアコンタクトロケーショングループはディファレンシャルシグナリング（ｄｉｆｆｅｒｅｎｔｉａｌ  ｓｉｇｎａｌｉｎｇ）のための第１ペアプラスコンタクトロケーション（Ｌａｎｅ０＋）および第１ペアマイナスコンタクトロケーション（Ｌａｎｅ０−）を含む。このような第１ペアプラスコンタクトロケーションは図４に示すようにＭｉｃｒｏ  ＵＳＢのＶＣＣコンタクトロケーションに対応でき、第１ペアマイナスコンタクトロケーションは図４に示すようにＭｉｃｒｏ  ＵＳＢのＤａｔａ−コンタクトロケーションに対応できる。そして、第１ペアコンタクトロケーショングループはウェイクアップ手続きを行なうのに用いられることができる。
【００６６】
そして、コンタクトロケーション３、４は第２データ伝送のために指定された第２ペアコンタクトロケーショングループである。具体的に、第２ペアコンタクトロケーショングループはディファレンシャルシグナリング（ｄｉｆｆｅｒｅｎｔｉａｌ  ｓｉｇｎａｌｉｎｇ）のための第２ペアプラスコンタクトロケーション（Ｌａｎｅ１＋）および第２ペアマイナスコンタクトロケーション（Ｌａｎｅ１−）を含む。このような第２ペアプラスコンタクトロケーションは図４に示すようにＭｉｃｒｏ  ＵＳＢのＤａｔａ＋コンタクトロケーションに対応でき、第２ペアマイナスコンタクトロケーションは図４に示すようにＭｉｃｒｏ  ＵＳＢのＩＤコンタクトロケーションに対応できる。そして、第２ペアコンタクトロケーショングループは外部機器を充電するための電源を出力するのに用いられることができる。
【００６７】
そして、コンタクトロケーション５は、グラウンド処理のためのグラウンドコンタクトロケーションである。このようなグラウンドコンタクトロケーションは図４に示すように、Ｍｉｃｒｏ  ＵＳＢのＧＮＤコンタクトロケーションに対応できる。
【００６８】
以上のように、新たなインターフェース（ＮＩＦ）構造は、図４に示すようなＭｉｃｒｏ  ＵＳＢインターフェースと互換性をもち、二種類のデータを伝送できるインターフェースをサポートする。なお、別途のウェイクアップ端子を用いずにＡｕｄｉｏ／Ｖｉｄｅｏ／Ｄａｔａを伝送するコンタクトロケーションを用いるということから、複数のコンタクトロケーションを効率的に利用が可能である。
【００６９】
一方、図３を説明するうえで、図３の複数のコンタクトロケーションがＭｉｃｒｏ  ＵＳＢに互換することについてのみ説明したが、図３の複数のコンタクトロケーションのそれぞれはＵＳＢ（Ｕｎｉｖｅｒｓａｌ  Ｓｅｒｉａｌ  Ｂｕｓ）インターフェース、ＭＨＬ（Ｍｏｂｉｌｅ  Ｈｉｇｈ−Ｄｅｆｉｎｉｔｉｏｎ  Ｌｉｎｋ）インターフェースに互換する形態でも実現できる。
【００７０】
そして、図３を説明するうえで、新たなインターフェース（ＮＩＦ）は５つのコンタクトロケーションをもつものとして説明したが、実現時には特定の電源を伝送する電源コンタクトロケーションを追加して６つのコンタクトロケーションを用いる形態で実現できる。このとき、電源コンタクトロケーションは１または６番ナンバーで指定できる。この場合、複数のコンタクトロケーションはＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）インターフェースと互換する形態でも実現できる。
【００７１】
図５は、本発明の一実施形態に新たなインターフェース（ＮＩＦ）構造によってデータを送受信する方法を説明するための図である。
【００７２】
図５によると、新たなインターフェース（ＮＩＦ）構造は、二つのレーン（ｌａｎｅ）構造をもち、一つのレーン構造を通じて一つのＡｕｄｉｏ／Ｖｉｄｅｏ／Ｄａｔａを送受信できる。具体的に、第１レーンを通じて第１データを送受信でき、第２レーンを通じて第２データを送受信できる。このとき、新たなインターフェース（ＮＩＦ）は、第１レーン（または、第１ペアコンタクトロケーショングループ）を用いてウェイクアップ信号などを伝送でき、第２レーン（または、第２ペアコンタクトロケーション）を用いて外部機器に対する充電電源を供給できる。即ち、外部機器に対して充電を行ないつつ、Ａ／Ｖ／Ｄを同時に伝送できるようになる。具体的に、レーン構造の具体的な形態は図６に示す。
【００７３】
図５および図６を説明するうえで、一つのレーン構造が双方向通信を行なうものとして説明したが、実現時に一つのレーン構造は外部に信号を伝送する伝送専用とし、もう一つのレーン構造は外部から信号を受信する受信専用とする形態としても実現できる。なお、一つのレーン構造内のそれぞれのラインの全てが双方向通信を行なうものとして説明したが、実現時にはレーン構造内の一つのラインは外部から信号を伝送する伝送専用とし、もう一つのラインは外部から信号を受信する受信専用として用いる形態として実現できる。
【００７４】
図７は、本実施形態に係る新たなインターフェース（ＮＩＦ）構造によってウェイクアップ方法の第１例を説明するための図である。
【００７５】
ウェイクアップ動作は、メディアプレーヤデバイス１００のウェイクアップ動作とメディアプレーヤデバイス１００が外部機器に対するウェイクアップ動作とに分けられる。以下では、まずメディアプレーヤデバイス１００のウェイクアップ動作を説明する。
【００７６】
図７によると、インターフェース部１４０は外部機器１００’（携帯用のデバイスを含む）とケーブルコネクタを通じて接続される。そして、マイコン１２０はスイッチを用いて複数のコンタクトロケーションのうち一つのペアコンタクトロケーショングループと接続される。
【００７７】
まず、マイコン１２０は複数のコンタクトロケーションのうち二つのコンタクトロケーションを用いて外部機器１００’の接続を認識する。具体的に、マイコン１２０は外部機器１００’と接続された複数のコンタクトロケーションのうち、第１ペアコンタクトロケーションを用いて外部機器１００’が接続されたことを把握することができる。
【００７８】
そして、外部機器１００’がメディアプレーヤデバイス１００に接続されたと検知されると、マイコン１２０はメディアプレーヤデバイス１００がウェイクアップできるように、電源部１１０およびインターフェース部１４０を制御することができる。
【００７９】
一方、マイコン１２０は既に接続された外部機器１００’からウェイクアップ信号が受信される場合にウェイクアップ動作を行なうことができる。例えば、外部機器１００’が接続された状態で、メディアプレーヤデバイス１００がスタンバイモードに進入した場合、マイコン１２０は外部機器からウェイクアップ信号が受信されると、メディアプレーヤデバイス１００がウェイクアップできるように、電源部１１０およびインターフェース部１４０を制御することができる。このとき、ウェイクアップ信号は上述の第１ペアマイナスコンタクトロケーションを通じて受信されてよい。
【００８０】
以下では、メディアプレーヤデバイス１００が外部機器１００’をウェイクアップする動作について説明する。
【００８１】
まず、外部機器１００’のウェイクアップが必要な場合、マイコン１２０はインターフェース部１４０に図１１に示すようなウェイクアップ開始命令を伝達することができる。ここで、ウェイクアップ開始命令は、ウェイクアップ命令のスタートを報知する開始（Ｓｔａｒｔ）フィールド、ウェイクアップが必要なデバイスを報知するウェイクアップポート（Ｗａｋｅｕｐ  Ｐｏｒｔ）フィールド、ウェイクアップのモードを報知するウェイクアップモード（Ｗａｋｅｕｐ  ｍｏｄｅ）フィールド、および確認信号（Ａｃｋ）フィールドを含む。
【００８２】
ウェイクアップ開始命令を入力されたインターフェース部１４０は、受信されたウェイクアップ開始命令のうちウェイクアップポートフィールドを参考にウェイクアップする外部機器１００’を判断し、当該外部機器１００’と接続された収容部に、即ち当該外部機器に図１０に示すようなウェイクアップ信号を伝達することができる。ここで、ウェイクアップ信号はウェイクアップ開始命令のうちウェイクアップポートフィールドが省略されたウェイクアップ命令のスタートを報知する開始（Ｓｔａｒｔ）フィールド、ウェイクアップモードを報知するウェイクアップモード（Ｗａｋｅｕｐ  ｍｏｄｅ）フィールド、および確認信号（Ａｃｋ）フィールドを含んでよい。
【００８３】
このとき、インターフェース部１４０は複数のコンタクトロケーションのうち第１ペアコンタクトロケーショングループを用いて、外部機器１００’にウェイクアップ信号を送信することができる。または、一つのコンタクトロケーションのみを用いて外部機器１００’にウェイクアップ信号を送信することができる。
【００８４】
以上では、メディアプレーヤデバイス１００で特定の外部機器に対するウェイクアップ開始命令を生成して伝達することについて説明したが、ウェイクアップ開始命令は外部機器１００’から受信されてよい。なお、以上では外部機器に対するウェイクアップ開始信号をインターフェース部１４０から外部機器１００’に伝達することについて説明したが、実現時にはマイコン１２０から外部機器１００’に直接伝送する形態でも実現できる。
【００８５】
そして、図７を説明するうえで、複数のコンタクトロケーションのうち一つのペアコンタクトロケーショングループを用いて外部機器の接続を検知し、ウェイクアップ信号を受信するものとして説明したが、一つのコンタクトロケーションのみを用いる形態でも実現できる。これについては、図８を参考にして以下で説明する。
【００８６】
図８は、本発明の一実施形態に係る新たなインターフェース（ＮＩＦ）構造によりウェイクアップ方法の第２例を説明するための図である。
【００８７】
図８によると、インターフェース部１４０は外部機器１００’（携帯用のデバイスを含む）とケーブルコネクタを通じて接続される。そして、マイコン１２０はスイッチＳＷ１を用いて複数のコンタクトロケーションのうちコンタクトロケーションと接続される。
【００８８】
まず、マイコン１２０は複数のコンタクトロケーションのうち一つのコンタクトロケーションを用いて外部機器１００’の接続を認識する。具体的に、マイコン１２０は外部機器１００’と接続された複数のコンタクトロケーションのうち、第１ペアマイナスコンタクトロケーションを用いて外部機器１００’が接続されたことを把握することができる。
【００８９】
そして、マイコン１２０は外部機器１００’がメディアプレーヤデバイス１００に接続されたと検知されると、メディアプレーヤデバイス１００がウェイクアップできるように、電源部１１０およびインターフェース部１４０を制御することができる。
【００９０】
一方、マイコン１２０は既に接続された外部機器１００’からウェイクアップ信号が受信される場合にウェイクアップ動作を行なうことができる。例えば、外部機器１００’が接続された状態で、メディアプレーヤデバイス１００がスタンバイモードに進入した場合に、マイコン１２０は外部機器からウェイクアップ信号が受信されると、メディアプレーヤデバイス１００がウェイクアップできるように、電源部１１０およびインターフェース部１４０を制御することができる。このとき、ウェイクアップ信号は上述の第１ペアマイナスコンタクトロケーションを通じて受信されることができる。
【００９１】
メディアプレーヤデバイス１００が外部機器１００’をウェイクアップする動作は、ウェイクアップ信号を一つのコンタクトロケーションのみを用いて伝送するということで相違しているだけであって、具体的な動作は図７に関連した説明と同様であるため、繰り返し説明は省略する。
【００９２】
一方、図７および図８を説明するうえで、マイコン１２０が直接複数のコンタクトロケーションのうち二つのコンタクトロケーションから受信される信号を検知して外部機器の接続を認識し、ウェイクアップ信号を受信するものとして説明したが、実現時にはインターフェース部１４０が外部機器を検知し、ウェイクアップ信号を受信する形態でも実現できる。これについては、図９を参考にして以下で説明する。
【００９３】
図９は、本発明の一実施形態に係る新たなインターフェース（ＮＩＦ）構造によりウェイクアップ方法の第３例を説明するための図である。
【００９４】
図９によると、インターフェース部１４０は外部機器１００’（携帯用のデバイスを含む）とケーブルコネクタを通じて接続される。
【００９５】
まず、インターフェース部１４０は複数のコンタクトロケーションのうち一つのコンタクトロケーションを用いて外部機器１００’の接続を認識する。具体的に、インターフェース部１４０は外部機器１００’と接続された複数のコンタクトロケーションのうち、第１ペアマイナスコンタクトロケーションを用いて外部機器１００’が接続されたことが把握できる。
【００９６】
そして、インターフェース部１４０は外部機器１００’が接続されると、外部機器１００’が接続されたことをマイコン１２０に通知できる。このとき、メディアプレーヤデバイス１００がスタンバイモードである場合、インターフェース部１４０はウェイクアップ信号をマイコン１２０に通知することができる。このとき、ウェイクアップ信号を受信したマイコン１２０はメディアプレーヤデバイス１００がウェイクアップできるように電源部１１０を制御することができる。
【００９７】
そして、インターフェース部１４０は外部機器１００’からウェイクアップ信号を受信すると、受信されたウェイクアップ信号をマイコン１２０に通知できる。例えば、外部機器１００’が接続された状態で、メディアプレーヤデバイス１００がスタンバイモードに進入した場合、インターフェース部１４０は外部機器１００’からウェイクアップ信号が受信されると、メディアプレーヤデバイス１００がウェイクアップできるように、ウェイクアップ信号をマイコン１２０に伝達できる。このとき、ウェイクアップ信号は上述の第１ペアマイナスコンタクトロケーションを通じて受信できる。
【００９８】
そして、インターフェース部１４０は受信されたウェイクアップ信号とウェイクアップ信号とを送信した外部機器１００’に対応するポート情報を結合してウェイクアップ開始命令を生成し、生成されたウェイクアップ開始命令をマイコン１２０に伝送できる。
【００９９】
図１０は、本実施形態に係るウェイクアップ信号の構造を示す図である。
【０１００】
図１０によると、ウェイクアップ信号は開始（Ｓｔａｒｔ）フィールド、ウェイクアップモード（Ｗａｋｅｕｐ  Ｍｏｄｅ）フィールド、および確認信号（Ａｃｋ）フィールドを含んでよい。
【０１０１】
開始フィールドは、ウェイクアップ命令の開始を報知するフィールドとして、ハイレベルからローレベルにダウンされた後、予め設定された時間だけ持続する信号であってよい。実現時には、ローレベルからハイレベルにアップされた後、予め設定された時間だけ持続する信号であってよい。
【０１０２】
ウェイクアップモードフィールドは、ウェイクアップのモードを報知するフィールドとして、図１３に示すようなモードを有してよい。
【０１０３】
確認信号フィールドは、ウェイクアップ信号を入力される外部機器１００’がウェイクアップ信号を伝達したインターフェース部１４０にウェイクアップ信号を受信したことを報知する信号である。
【０１０４】
図１１は、本実施形態に係るウェイクアップ開始命令の構造を示す図である。
【０１０５】
図１１によると、ウェイクアップ開始命令は開始（Ｓｔａｒｔ）フィールド、ウェイクアップポート（Ｗａｋｅｕｐ  Ｐｏｒｔ）フィールド、ウェイクアップモード（Ｗａｋｅｕｐ  Ｍｏｄｅ）フィールド、および確認信号（Ａｃｋ）フィールドを含む。
【０１０６】
開始フィールドは、ウェイクアップ命令の開始を報知するフィールドとして、ハイレベルからローレベルにダウンされた後、予め設定された時間だけ持続する信号であってよい。実現時には、ローレベルからハイレベルにアップされた後、予め設定された時間だけ持続する信号であってよい。
【０１０７】
ウェイクアップポートは、ウェイクアップが必要なメディアプレーヤデバイスを報知するフィールドである。
【０１０８】
ウェイクアップモードフィールドは、ウェイクアップのモードを報知するフィールドとして、図１３に示すようなモードを有してよい。
【０１０９】
確認信号フィールドは、ウェイクアップ信号を入力される外部機器１００’がウェイクアップ信号を伝達したインターフェース部１４０およびマイコン１２０にウェイクアップ信号を受信したことを報知する信号である。
【０１１０】
図１２は、ウェイクアップ開始命令に含まれたそれぞれのフィールドの役割を説明する図である。
【０１１１】
図１２によると、開始（Ｓｔａｒｔ）フィールドはハイレベルからローレベルにダウンされる信号が伝達されるフィールドであり、ウェイクアップポート（Ｗａｋｅｕｐ  ｐｏｒｔ）フィールドは、複数の外部機器のうち特定の外部機器に該当するポートを指定する信号が伝達されるフィールドであり、ウェイクアップモード（Ｗａｋｅｕｐ  ｍｏｄｅ）フィールドは、外部機器の動作モードを指定する信号を伝達するフィールドであり、ウェイクアップ信号受信確認信号（Ａｃｋ）はウェイクアップ信号を成功裏に受信したことを報知する信号が伝達されるフィールドであることが分かる。
【０１１２】
図１３は、図１２に記載された動作モード信号（Ｗａｋｅｕｐ  Ｍｏｄｅ）の種類を示す図である。
【０１１３】
図１３によると、ウェイクアップモードにはメディアプレーヤデバイスの複数の動作モードそれぞれに対応する複数のウェイクアップモード（Ｗａｋｅｕｐ  １  ｓｔｅｐ、Ｗａｋｅｕｐ  ２  ｓｔｅｐ、Ｗａｋｅｕｐ  ３  ｓｔｅｐ）、充電モード（Ｃｈａｒｇｉｎｇ  ｏｎｌｙ）およびノーマルモード（Ｎｏｒｍａｌ  ｓｔｅｐ）を含むことが分かる。このような多様な信号を用いて外部機器の動作モードを具体的に指定した外部機器１００’をウェイクアップすることができる。
【０１１４】
図１４は、図１３に記載されたウェイクアップモードの動作を説明する図である。
【０１１５】
図１３によると、“Ｏｆｆ”モードはメディアプレーヤデバイスに電源が入力されないモードである。
【０１１６】
そして、“スタンバイ”モードはＩＲ受信機および新たなインターフェース（ＮＩＦ）を通じて外部信号を検知する最小電力の待機モードである。
【０１１７】
そして、“Ｗａｋｅｕｐ１”は、メディアプレーヤデバイス１００がＩＰ基板の通信を行なわないウェイクアップモードである。
【０１１８】
そして、“Ｗａｋｅｕｐ２”は、メディアプレーヤデバイスがＩＰ基板の通信を行なうことのできるウェイクアップモードである。
【０１１９】
そして、“Ｗａｋｅｕｐ３”モードは、メディアプレーヤデバイスがマルチポートをサポートすることのできるウェイクアップモードである。
【０１２０】
そして、“Ｗａｋｅｕｐ？”モードは、特定機能のみを除いて全ての機能が可能なウェイクアップモードである。
【０１２１】
最後に、“Ｎｏｒｍａｌ”モードは、メディアプレーヤデバイスの全ての機能を行なうことのできるモードである。
【０１２２】
図１５は、本実施形態に係るウェイクアップモードの状態遷移を説明する図である。
【０１２３】
まず、デジタルプレーヤデバイスに電源が供給されていない場合、デジタルプレーヤデバイス１００はオフ（Ｏｆｆ）モードであり、ここでデジタルプレーヤデバイスに電源が供給されるとスタンバイモードに変換されることができる。
【０１２４】
そして、デジタルプレーヤデバイス１００がスタンバイモードのとき、外部機器が接続されたり、外部機器からウェイクアップ信号が入力されると、デジタルプレーヤデバイスは入力されたウェイクアップ信号のウェイクアップモードによる動作モードに変換されることができる。
【０１２５】
そして、デジタルプレーヤデバイス１００がウェイクアップモードのとき、ユーザの命令または外部のノーマルモードで動作することを報知するウェイクアップ信号が入力されると、デジタルプレーヤデバイス１００はノーマルモードに変換されることができる。
【０１２６】
一方、デジタルプレーヤデバイス１００がウェイクアップモードのとき、特定の動作が終了したら、ユーザの命令が入力されると、デジタルプレーヤデバイス１００はスタンバイモードに変換されることができる。
【０１２７】
そして、デジタルプレーヤデバイス１００がノーマルモードのとき、特定の動作が終了したり、予め設定された時間が経過した場合、デジタルプレーヤデバイス１００はウェイクアップモードに変換されることができる。
【０１２８】
そして、デジタルプレーヤデバイス１００はノーマルモードのとき、ユーザから電源終了命令を入力されると、最小電力で待機するためのスタンバイモードに変換されることができる。
【０１２９】
図１６および図１７は、本実施形態に係るメディアプレーヤデバイスに複数の外部機器が接続された場合のウェイクアップ方法を説明するための図である。
【０１３０】
具体的に、図１６は複数の外部機器に対するウェイクアップ信号をマイコン１２０で受信して処理する動作を説明するための図である。
【０１３１】
まず、図１６によると、複数の外部機器１０−１、１０−２、１０−３、１０−４は複数のペアコンタクトロケーショングループそれぞれに接続され、マイコン１２０はそれぞれのペアコンタクトロケーショングループと接続される。具体的に、第１外部機器１０−１は第１ペアコンタクトロケーショングループ（ＮＩＦ  ｐｏｒｔ１）に接続され、第２外部機器１０−２は第２ペアコンタクトロケーショングループ（ＮＩＦ  ｐｏｒｔ２）に接続され、第３外部機器１０−３は第３ペアコンタクトロケーショングループ（ＮＩＦ  ｐｏｒｔ３）に接続され、第４外部機器１０−４は第４ペアコンタクトロケーショングループ（ＮＩＦ  ｐｏｒｔ４）に接続されることができる。
【０１３２】
マイコン１２０は接続されたペアコンタクトロケーショングループを通じて外部機器の接続を検知したり、外部機器から送信されるウェイクアップ信号を受信することができる。一つの機器との具体的な接続形態は、図７に示すとおりである。
【０１３３】
そして、マイコン１２０がウェイクアップ信号が受信されると、ウェイクアップ信号に対応するウェイクアップモードでメディアプレーヤデバイス１００が動作するように、メディアプレーヤデバイス１００内の各構成を制御することができる。
【０１３４】
図１６を説明するうえで、外部機器と接続されたペアコンタクトロケーショングループそれぞれがマイコン１２０に接続される実施形態について説明したが、ペアコンタクトロケーショングループ内の一つのコンタクトロケーションのみがマイコン１２０に接続される形態でも実現できる。この場合、一つの外部機器１０とメディアプレーヤデバイス１００との接続は、図８と同様であってよい。
【０１３５】
そして、図１７は複数の外部機器に対するウェイクアップ信号をインターフェース部１４０で受信して処理する動作を説明するための図である。
【０１３６】
図１７によると、複数の外部機器１０−１、１０−２、１０−３、１０−４は複数のペアコンタクトロケーショングループそれぞれに接続される。具体的に、第１外部機器１０−１は第１ペアコンタクトロケーショングループ（ＮＩＦ  ｐｏｒｔ１）に接続され、第２外部機器１０−２は第２ペアコンタクトロケーショングループ（ＮＩＦ  ｐｏｒｔ２）に接続され、第３外部機器１０−３は第３ペアコンタクトロケーショングループ（ＮＩＦ  ｐｏｒｔ３）に接続され、第４外部機器１０−４は第４ペアコンタクトロケーショングループ（ＮＩＦ  ｐｏｒｔ４）に接続されることができる。
【０１３７】
インターフェース部１４０は接続されたペアコンタクトロケーショングループを通じて外部機器の接続を検知したり、外部機器から送信されるウェイクアップ信号を受信することができる。一つの機器との具体的な接続形態は、図９に示すとおりである。
【０１３８】
そして、インターフェース部１４０は外部機器が接続されると、外部機器の接続をマイコン１２０に通知することができる。そして、インターフェース部１４０はメディアプレーヤデバイス１００がスタンバイモード時に外部機器が接続されたり、外部機器からウェイクアップ信号を受信すると、ウェイクアップ信号をマイコン１２０に送信することができる。
【０１３９】
マイコン１２０はインターフェース部１４０からウェイクアップ信号を受信すると、受信されたウェイクアップ信号に対応するウェイクアップモードでメディアプレーヤデバイス１００が動作するように、メディアプレーヤデバイス１００内の各構成を制御することができる。
【０１４０】
図１８は、本発明の一実施形態に係るウェイクアップ方法を説明するための図である。
【０１４１】
まず、メディアプレーヤデバイスがスタンバイモードの状態で、複数のコンタクトロケーションに外部機器が接続されたか否かを確認する（Ｓ１８１０）。
【０１４２】
そして、外部機器がメディアプレーヤデバイスに接続されると、メディアプレーヤデバイスをウェイクアップする（Ｓ１８２０）。実現時には、接続された外部機器からウェイクアップ信号が受信された場合に、メディアプレーヤデバイスをウェイクアップする形態でも実現できる。
【０１４３】
図１９は、図１８のウェイクアップ動作を具体的に説明する図である。
【０１４４】
まず、メディアプレーヤデバイスがスタンバイモードである場合に（Ｓ１９０５）、外部機器からウェイクアップ信号が受信されると（Ｓ１９１０）、受信されたウェイクアップ信号を用いてウェイクアップ信号を送信した外部機器を判別し、当該機器が要請したウェイクアップモードを判別する（Ｓ１９１５）。
【０１４５】
その後、受信されたウェイクアップ信号のウェイクモードによる電源が出力されるように電源部１１０を制御する（Ｓ１９２０）。そして、ウェイクアップモードによる動作が行なわれるように、インターフェース部１４０をウェイクアップする（Ｓ１９２５）。
【０１４６】
そして、ウェイクアップモードによる動作を行なう（Ｓ１９３０、Ｓ１９３５）。具体的に、外部から受信されたウェイクアップ信号のウェイクアップモードが充電モードである場合、当該外部機器が接続されたペアコンタクトロケーションに充電電源を提供することができる。
【０１４７】
以後に、ユーザ命令または外部機器からモード変更命令を受信すると（Ｓ１９４０）、受信されたモード変更命令に対応するモード変更を行なうことができる。具体的に、受信されたモード変更がスタンバイモードである場合（Ｓ１９４５）、メディアプレーヤデバイス１００が最小電力で動作するスタンバイモードで動作するように、メディアプレーヤデバイス１００内の各構成を制御することができる。そして、その他のモード変更を受信した場合、受信されたモードの動作に対応する動作になるように、メディアプレーヤデバイスを制御することができる。
【０１４８】
これにより、本実施形態に係るウェイクアップ方法は、最小スタンバイ電力で待機を行なう一方で、別途のウェイクアップ信号を伝送するためのコンタクトロケーションでない一般のＡ／Ｖ信号を伝送するコンタクトロケーションを用いてウェイクアップ信号を受信して用いることができる。これにより、外部機器と接続する複数のコンタクトロケーションを効率良く用いることができるようになる。図１８および図１９のようなウェイクアップ方法は、図１の構成をもつメディアプレーヤデバイス上で実行されてよく、その他の構成をもつ制御デバイス上で実行されてよい。
【０１４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５０】
１００  メディアプレーヤデバイス
１１０  電源部
１２０  マイコン
１３０  ユーザインターフェース部
１４０  インターフェース部
１４１  通信インターフェース部
１４２  制御部
３００  ケーブルコネクタ
【図１】
0005918934.tif 000002
【図２】
0005918934.tif 000003
【図３】
0005918934.tif 000004
【図４】
0005918934.tif 000005
【図５】
0005918934.tif 000006
【図６】
0005918934.tif 000007
【図７】
0005918934.tif 000008
【図８】
0005918934.tif 000009
【図９】
0005918934.tif 000010
【図１０】
0005918934.tif 000011
【図１１】
0005918934.tif 000012
【図１２】
0005918934.tif 000013
【図１３】
0005918934.tif 000014
【図１４】
0005918934.tif 000015
【図１５】
0005918934.tif 000016
【図１６】
0005918934.tif 000017
【図１７】
0005918934.tif 000018
【図１８】
0005918934.tif 000019
【図１９】
0005918934.tif 000020